(57)【要約】  【課題】  消費電力の小さい低速通信回路を併用し、消費電力の大きい高速通信回路の受信デバイスを必要時に生かす制御を行ない消費電力を低減させる。  【解決手段】  消費電力の大きい高周波数帯光データ伝送方式（３１＋３２）に消費電力の小さい低周波数帯光コントロール信号伝送方式（４１＋４２）を併用し、光データ伝送方式の送信デバイス３１がデータの送信をしていないとき、光コントロール信号伝送方式の送信デバイス４１からコントロール信号Ｓ１を送信し、受信デバイス４２のコントロール信号Ｓ２で光データ伝送方式の受信デバイス３２の動作をコントロールして消費電力を低減する。  【選択図】  図２
2005057465.tif 000002
【特許請求の範囲】
【請求項１】
高周波数帯ワイヤレスデータ伝送方式の送信デバイス側及び受信デバイス側に、それぞれ低周波数帯ワイヤレスコントロール信号伝送方式の送信デバイス及び受信デバイスが設けられている高周波数帯ワイヤレスデータ伝送方式と低周波数帯ワイヤレスコントロール信号伝送方式とを併用したワイヤレス伝送方式であって、
前記高周波数帯ワイヤレスデータ伝送方式の送信デバイスがデータの送信をしていないことを条件に、前記低周波数帯ワイヤレスコントロール信号伝送方式でコントロール信号を送信し、受信したコントロール信号で前記高周波数帯ワイヤレスデータ伝送方式の受信デバイスの動作をコントロールして消費電力を低減させることを特徴とするワイヤレス伝送方式。
【請求項２】
前記高周波数帯ワイヤレスデータ伝送方式は相互に通信可能なようにそれぞれデータの送信デバイスと受信デバイスを有し、前記低周波数帯ワイヤレスコントロール信号伝送方式は相互に通信可能なようにコントロール信号の送信デバイスと受信デバイスを有することを特徴とする請求項１に記載のワイヤレス伝送方式。
【請求項３】
前記高周波数帯ワイヤレスデータ伝送方式は、高周波数帯電波データ伝送方式又は高周波数帯光データ伝送方式であり、低周波数帯ワイヤレスコントロール信号伝送方式は、低周波数電波コントロール信号伝送方式又は低周波数帯光コントロール信号伝送方式であることを特徴とする請求項１または２に記載のワイヤレス伝送方式。
【発明の詳細な説明】
【技術分野】
【０００１】
本発明は、消費電力の大きい高周波数帯ワイヤレスデータ伝送方式に、消費電力の小さい低周波数帯ワイヤレスコントロール信号伝送方式を併用して、高速通信回路の消費電力を低減させるワイヤレス伝送方式に関する。
【背景技術】
【０００２】
ワイヤレスデータ伝送方式は、例えば、送信機器側で情報信号をデータ信号に変換しこのデータ信号で高周波数帯の搬送波を変調しワイヤレスで送信し、受信機器側で受信し復調してデータ信号を抽出してこのデータ信号を情報信号に変換するように構成されている。
【０００３】
また、異なる方式のワイヤレス伝送の併用したものとしては、無線通信手段の情報通信端末に無線通信手段とは異なる無線通信手段を設け、後者の無線通信手段を情報端末が本来持っている種々の機能と連動させることにより、多彩な情報通信と使い勝手の良さを可能にしたものがある（例えば、特許文献１参照）。
【特許文献１】特開平０８−１６７９２８号公報（図１、図２）
【発明の開示】
【発明が解決しようとする課題】
【０００４】
ワイヤレスデータ伝送方式では、一般に伝送レートを高くするため高周波数帯電波を使用している。また、高速通信回路（送信機器及び受信機器）は常時伝送可能なように生かしたまま使用している。送信機器は送信処理回路、送信回路等で構成されており、受信機器は受信回路、受信処理回路等で構成されている。これら回路はＩＣやＣＰＵなどで構成されている。これらＩＣやＣＰＵなどのスイッチング損失は周波数に応じて大きくななるため、伝送レートの高い高速通信回路の消費電力は大きい。送信機器は送信しない場合電源をＯＦＦとすることは可能であるが、受信機器は常時受信可能としておかなければならないのでバッテリ機器とするには適しない。
【０００５】
本発明は、上記課題に鑑みてなされたもので、伝送レートが高く消費電力の大きい高周波数帯ワイヤレスデータ伝送方式に、低周波数帯ワイヤレスコントロール信号伝送方式を併用し、伝送レートが低く消費電力の小さい低速通信回路で高速通信回路を必要時に生かす制御を行ない無用な消費電力を減少させることができるワイヤレス伝送方式を提供することを目的とする。
【課題を解決するための手段】
【０００６】
本発明のワイヤレス伝送方式は、高周波数帯ワイヤレスデータ伝送方式の送信デバイス側及び受信デバイス側に、それぞれ低周波数帯ワイヤレスコントロール信号伝送方式の送信デバイス及び受信デバイスが設けられている高周波数帯ワイヤレスデータ伝送方式と低周波数帯ワイヤレスコントロール信号伝送方式とを併用したワイヤレス伝送方式であって、前記高周波数帯ワイヤレスデータ伝送方式の送信デバイスがデータの送信をしていないことを条件に、前記低周波数帯ワイヤレスコントロール信号伝送方式でコントロール信号を送信し、受信したコントロール信号で前記高周波数帯ワイヤレスデータ伝送方式の受信デバイスの電源又は動作をコントロールして消費電力を低減させるものである。
【０００７】
前記高周波数帯ワイヤレスデータ伝送方式は相互にデータ伝送可能なようにデータの送信デバイスと受信デバイスを有し、前記低周波数帯ワイヤレスコントロール信号伝送方式は相互通信可能なようにコントロール信号の送信デバイスと受信デバイスを有するものとすることができる。
【０００８】
また、前記高周波数帯ワイヤレスデータ伝送方式は、高周波数帯電波データ伝送方式又は高周波数帯光データ伝送方式であり、低周波数帯ワイヤレスコントロール信号伝送方式は、低周波数電波コントロール信号伝送方式又は低周波数帯光コントロール信号伝送方式とすることができる。
【発明の効果】
【０００９】
本発明は、上述の通り、高周波数帯ワイヤレスデータ伝送方式と、低周波数帯ワイヤレスコントロール信号伝送方式とを併用し、高周波数帯ワイヤレスデータ伝送方式の送信デバイスがデータの送信をしていないことを条件に、低周波数帯ワイヤレスコントロール信号伝送方式でコントロール信号を送信し、受信したコントロール信号で高周波数帯無線データ伝送方式の受信デバイスの動作をコントロールして消費電力を低減させるように構成されているので、
（１）消費電力の大きい高周波数帯ワイヤレスデータ伝送方式のデータ伝送をしていないときの受信デバイスの消費電力を、消費電力の極めて小さいワイヤレスコントロール信号伝送方式で低減することができる。  
（２）消費電力の大きい高周波数帯ワイヤレスデータ伝送方式の受信デバイスの消費電力を低減できるので、受信デバイスがバッテリー機器である場合に極めて有効である。
【発明を実施するための最良の形態】
【００１０】
実施形態１
図１に実施形態１に係る電波伝送方式のブロック図を示す。この電波伝送方式は無線ＬＡＮを用いた高周波数帯電波データ伝送方式に電波コントロール信号伝送方式を併用した例である。伝送機器Ａ１、Ｂ１は、各々高周波数帯電波でデータＤを交換する無線ＬＡＮデバイス（例えば、５Ｇ  Ｗ−ＬＡＮデバイス）１１、１２と、伝送可能な低周波数帯（例えば、８００Ｍ帯、または、１５０ｋＨｚ以下帯）のコントロール信号Ｓ１を送受信する送受信デバイス２１、２２とにより構成されている。
【００１１】
無線ＬＡＮデバイス１１、１２の送信部１１ａ、１２ａは、処理回路、送信回路等で構成されており、送信をしない場合電源をＯＦＦ又は消費電力を低減できるようにしてある。また、無線ＬＡＮデバイス１１、１２の受信部１１ｂ、１２ｂは、受信回路、処理回路等で構成されており、受信部１１ｂ（１２ｂ）にコントロール信号Ｓ３、（Ｓ２）が入力すると、回路の動作がコントロールされてコントロール信号Ｓ１の入力中、受信部１１ｂ（１２ｂ）の消費電力が低下するように構成されている。
【００１２】
低周波帯無線コントロール信号送受信デバイス２１（２２）は、夫々無線ＬＡＮデバイス１１（１２）の送信部１１ａ（１２ａ）が送信をしていないときコントロール信号Ｓ１を送信する送信部２１ａ（２２ａ）及び相手方送信部２２ａ（２１ａ）が送信したコントロール信号Ｓ１を受信する受信部２１ｂ（２２ｂ）を有し、電源は常時ＯＮとしてある。
【００１３】
低周波帯無線コントロール信号伝送デバイス２１（２２）の送信部２１ａ（２２ａ）は、無線ＬＡＮデバイス１１（１２）の送信部１１ａ（１２ａ）が送信を停止すると送信停止している間コントロール信号Ｓ１を送信し、送信を開始するとコントロール信号Ｓ１の送信を停止するように構成されている。
【００１４】
また、低周波帯無線コントロール信号送受信デバイス２１（２２）の受信部２１ｂ（２２ｂ）は、コントロール信号Ｓ１を受信すると、コントロール信号Ｓ１の受信中、無線ＬＡＮデバイス１１（１２）の受信部１１ｂ（１２ｂ）にコントロール信号Ｓ３（Ｓ２）を出力するように構成されている。
【００１５】
上記電波伝送方式の消費電力コントロールの動作について説明する。無線ＬＡＮデバイス１１の送信部１１ａが送信をしていない時、低周波帯無線コントロール信号伝送デバイス２１の送信部２１ａはコントロール信号Ｓ１を送信する。このコントロール信号Ｓ１を相手方の低周波帯無線コントロール信号伝送デバイス２２の受信部２２ｂが受信してこのコントロール信号Ｓ１の受信中コントロール信号Ｓ２を無線ＬＡＮデバイス１２の受信部１２ｂに出力する。無線ＬＡＮデバイス１２の受信部１２ｂは、このコントロール信号Ｓ２の入力により回路の動作がコントロールされて消費電力が低下する。
【００１６】
そして、無線ＬＡＮデバイス１１の送信部１１ａが送信を始めると、低周波帯無線コントロール信号伝送デバイス２１の送信部２１ａはコントロール信号Ｓ１の送信を停止する。このためコントロール信号Ｓ２がなくなり、無線ＬＡＮデバイス１２の受信部１２ｂは消費電力の低減が解消されて正常に機能し、無線ＬＡＮデバイス１１の送信部１１ａが送信したデータを受信する。
【００１７】
同様に、無線ＬＡＮデバイス１２の送信部１２ａが送信をしていない時、低周波帯無線コントロール信号伝送デバイス２２の送信部２２ａはコントロール信号Ｓ１を送信する。このコントロール信号Ｓ１を相手方の低周波帯無線コントロール信号伝送デバイス２１の受信部２１ｂが受信してこのコントロール信号Ｓ１の受信中コントロール信号Ｓ３を無線ＬＡＮデバイス１１の受信部１１ｂに出力する。無線ＬＡＮデバイス１１の受信部１１ｂはコントロール信号Ｓ３の入力により回路の動作がコントロールされて消費電力が低下する。そして、無線ＬＡＮデバイス１２の送信部１２ａが送信を始めると、低周波帯無線コントロール信号伝送デバイス２２の送信部２２ａはコントロール信号Ｓ１の送信を停止する。このためコントロール信号Ｓ３がなくなり、無線ＬＡＮデバイス１１の受信部１１ｂは消費電力の低減が解消されて正常機能し、無線ＬＡＮデバイス１２の送信部１２ａが送信したデータを受信する。
【００１８】
低周波帯無線コントロール信号送受信デバイス２１、２２は、伝送レートが低いのでその消費電力は、無線ＬＡＮデバイス１１、１２の消費電力に比し極めて小さい。従って、上記無線ＬＡＮデバイスの受信部１１ｂ、１２ｂの消費電力を低下させることにより伝送機器Ａ１、Ｂ２の消費電力が低下する。
【００１９】
実施形態２
図２に実施形態２に係るワイヤレス光伝送方式のブロック図を示す。このワイヤレス光伝送方式は、オーディオ信号をオーディオデータに変換して高周波帯光データＤとして伝送する、例えば、ホームシアタなどに用いられているデジタル光空間伝送システム（ＤＩＡＴ）からなる高周波数帯光データ伝送方式に、赤外線リモコンからなる低周波数帯光コントロール信号伝送方式を併用した例である。
【００２０】
送信用機器Ａ２は、オーディオ信号をオーディオデータに変換し高周波帯光データとして受信用機器Ｂ２に向けて送信する送信用ＤＩＡＴデバイス３１と、このＤＩＡＴデバイス３１が送信をしていない時、光コントロール信号Ｓ１を受信用機器Ｂ２に向けて送信する赤外線リモコン送信部（赤外線リモコンＬＥＤ部）４１とにより構成されている。
【００２１】
受信用機器Ｂ２は、光データＤを受信してオーディオ信号に変換して出力する受信用ＤＩＡＴデバイス３２と、光コントロール信号Ｓ１を受信して受信用ＤＩＡＴデバイス３２にコントロール信号Ｓ２を出力する赤外線リモコン受信部（リモコン受光部）４２とにより構成されている。また、受信用ＤＩＡＴデバイス３２は、コントロール信号Ｓ２が入力するとＤＩＡＴデバイス３２の回路の動作がコントロールされて消費電力が低減するように構成されている。
【００２２】
機器Ａ２、Ｂ２の赤外線リモコン送信部４１及び赤外線リモコン受信部４２の電源は常時ＯＮにしてある。
【００２３】
上記ワイヤレス光伝送方式の消費電力コントロールの動作について説明する。送信用ＤＩＡＴデバイス３１が送信をしていない時、赤外線リモコン送信部４１はコントロール信号Ｓ１を送信する。赤外線リモコン光受信部４２はこの光コントロール信号Ｓ１を受信してコントロール信号Ｓ２を受信側ＤＩＡＴデバイス３２に出力する。受信側ＤＩＡＴデバイス４１は、コントロール信号Ｓ２の入力により回路の動作がコントロールされて消費電力が低下する。そして、送信用ＤＩＡＴデバイス３１が送信を始めると、赤外線リモコン送信部４１からのコントロール信号Ｓ１の送信が停止しコントロール信号Ｓ２がなくなるので、受信用ＤＩＡＴデバイス３２は消費電力の低減が解除され正常機能し、送信用ＤＩＡＴデバイス３１が送信したオーディオデータを受信する。
【００２４】
常時電源がＯＮ状態にある赤外線リモコン（４１、４２）の消費電力は１ｍＷ以下で、高周波数帯光データ伝送デバイスであるＤＩＡＴデバイス３１、３２の消費電力約２００ｍＷに比し極めて小さい。従って、上記ＤＩＡＴデバイス３１、３２からなる消費電力が大きい高周波数帯光データ伝送方式に赤外線リモコンからなる消費電力の小さい赤外線リモコンからなる低周波数帯コントロール信号伝送方式を併用することで受信側ＤＩＡＴデバイス４１の消費電力を低下させることができる。これによりシステムの消費電力が低下する。
【００２５】
上記実施形態１、２では、高周波数帯ワイヤレスデータ伝送方式として無線ＬＡＮによる無線データ伝送方式とデジタル光空間伝送システムによる光データ伝送方式の例について説明をしたが、本発明がこれに限定されるものではない。
【００２６】
また、上記図１の電波データ伝送方式は、無線ＲＡＮに関するものであり、図３（ａ）のように、双方向に通信可能となっているが、機器Ａを無線データ送信デバイスと無線コントロール信号送信デバイスからなる送信機器とし、機器Ｂを無線データ受信デバイスと無線コントロール信号受信デバイスからなる受信機器とすることで、図３（ｂ）のように一方向通信とすることができる。
【００２７】
また、上記図２のワイヤレス光伝送方式は、図４（ｂ）に示すように一方向通信となっているが、機器Ａ及び機器Ｂを、それぞれ無線データ送、受信デバイスと無線コントロール信号送、受信デバイスからなる送信機器及び無線データ送、受信デバイスと無線コントロール信号送、受信デバイスからなる受信機器とすることで、図４（ａ）に示すように、双方向通信とすることができる。
【００２８】
また、図５（ａ）、（ｂ）に示すように、高帯域電波通信と赤外線リモコンの混合方式とすることもできる。
【図面の簡単な説明】
【００２９】
【図１】実施形態１に係る電波データ伝送方式の構成説明図。
【図２】実施形態１に係る光データ伝送方式の構成説明図。
【図３】電波データ伝送方式の伝送方向説明図。
【図４】光データ伝送方式の伝送方向説明図。
【図５】電波・光混合データ伝送方式の伝送方向説明図。
【符号の説明】
【００３０】
Ａ１、Ｂ１…伝送機器
Ａ２…送信用機器
Ｂ２…受信用機器
１１、１２…無線ＬＡＮデバイス
１１ａ、１２ａ…送信部、  １１ｂ、１２ｂ…受信部、
２１、２２…コントロール信号の送受信デバイス、
２１ａ、２２ａ…送信部、  ２１ｂ、２２ｂ…受信部、
３１…送信用ＤＩＡＴデバイス
３２…受信用ＤＩＡＴデバイス
４１…赤外線リモコン送信部
４２…赤外線リモコン受信部
Ｄ…データ
Ｓ１、Ｓ２、Ｓ３…コントロール信号
【図１】
2005057465.tif 000003
【図２】
2005057465.tif 000004
【図３】
2005057465.tif 000005
【図４】
2005057465.tif 000006
【図５】
2005057465.tif 000007